(57)【要約】【課題】矩形の一部分が欠けた形状の開口部を完全に閉鎖することができる引戸を提供すること。【解決手段】引戸１の外ドア３の一部にスリット１１を設け、スリット１１から出し入れ可能な内ドア５を設ける。内ドア５と外ドア３とは、内ドア５に設けられたガイド溝２１と、外ドア３のスリット１１の内部に設けられたガイド２５とを噛み合わせることにより、連結される。内ドア５、外ドア３は、それぞれ、上端面１６、上端面８に固定された吊車１５、吊車９を用いて天井１７に固定されたレール７に吊り下げられる。開口部５５を開閉する際には、外ドア３は、吊車９と、ガイド溝２１およびガイド２５とを用いて、レール７と内ドア５とに支持された状態で移動し、戸袋６３から出し入れされる。内ドア５は、吊車１５を用いてレール７に支持された状態で移動し、外ドア３のスリット１１から出し入れされる。【選択図】図１
2008038399.tif 000002
【特許請求の範囲】
【請求項１】
外ドアと、
前記外ドアの一部に設けられたスリット内に格納される内ドアと、
前記内ドアに設けられた第１のガイド溝と、
前記外ドアの前記スリットの内部に設けられた第１のガイドと、
を具備し、
前記第１のガイド溝と前記第１のガイドとを噛み合わせつつ、前記内ドアを、前記外ドアに対して平行移動させて前記スリットから出し入れすることを特徴とする引戸。
【請求項２】
前記第１のガイド溝が、前記内ドアの下端部付近に設けられ、
前記第１のガイドが、前記スリットの下隅部付近に設けられ、
前記外ドアが、前記第１のガイドおよび前記第１のガイド溝によって前記内ドアに支持されることを特徴とする請求項１記載の引戸。
【請求項３】
前記内ドアおよび前記外ドアを、上端面に固定された吊車を用いて天井に固定されたレールに吊り下げ、前記内ドアを前記レールに支持された状態で移動させ、前記外ドアを前記レールおよび前記内ドアに支持された状態で移動させることを特徴とする請求項２記載の引戸。
【請求項４】
前記外ドアの下端面に第２のガイド溝が設けられ、前記第２のガイド溝と床に固定された第２のガイドとを噛み合わせつつ、前記外ドアを移動させることを特徴とする請求項１記載の引戸。
【発明の詳細な説明】
【技術分野】
【０００１】
本発明は、引戸に関するものである。
【背景技術】
【０００２】
従来、開口部の開放時には、複数枚の引戸を重ねて格納しておき、開口部の閉鎖時には、手前側の引戸をスライドさせ、奥側に隣接する引戸を順次連動して移動させる連動式の引戸が使用されてきた（例えば、特許文献１参照）。
【０００３】
また、引戸の収納空間の幅を縮小するために、引戸を前後に区分し、前方の前扉を後方の後扉内に収納可能とするものがあった。この引戸では、前扉と後扉とを引戸収納壁の奥底を支点に取付けられた連動杆に連結することにより、両扉を連動して移動させていた。また、後扉の前後の吊車を引戸上枠に取付けられたレールに吊り下げ、後扉に備えた前扉支持用レールに前扉の後部吊車を吊り下げることにより、前扉の後扉への収納を容易にしていた（例えば、特許文献２参照）。
【０００４】
【特許文献１】特開２００４−１０８００７号公報
【特許文献２】特開２０００−１９２７４０号公報
【発明の開示】
【発明が解決しようとする課題】
【０００５】
しかしながら、上述したような従来の引戸は、連動する複数枚の戸板を用いて矩形の開口部を閉鎖するためのものであった。そのため、矩形の一部分が欠けた形状の開口部を閉鎖するには不適であった。例えば、キッチンとリビングルームの間の開口部の一部にカウンターが位置する場合、カウンターの上方の開口部を閉鎖できないため、リビングルームに対してキッチンを完全に目隠しすることができなかった。
【０００６】
本発明は、このような問題に鑑みてなされたもので、その目的とするところは、矩形の一部分が欠けた形状の開口部を完全に閉鎖することができる引戸を提供することにある。
【課題を解決するための手段】
【０００７】
前述した目的を達成するための本発明は、外ドアと、前記外ドアの一部に設けられたスリット内に格納される内ドアと、前記内ドアに設けられた第１のガイド溝と、前記外ドアの前記スリットの内部に設けられた第１のガイドと、を具備し、前記第１のガイド溝と前記第１のガイドとを噛み合わせつつ、前記内ドアを、前記外ドアに対して平行移動させて前記スリットから出し入れすることを特徴とする引戸である。
【０００８】
本発明では、第１のガイド溝を内ドアの下端部付近に設け、第１のガイドを外ドアのスリットの下隅部付近に設け、外ドアを、第１のガイドおよび第１のガイド溝によって内ドアで支持するのが望ましい。第１のガイドは、外ドアのスリットの戸先側の下隅部付近に設けられる。
【０００９】
内ドアは、例えば、上端面の戸先側と戸尻側とに固定された吊車を用いて、天井に固定されたレールに吊り下げられる。外ドアは、例えば、上端面の戸尻側に固定された吊車を用いて、同一のレールに吊り下げられる。この時、内ドアは、戸先側および戸尻側がレールに支持された状態で移動する。外ドアは、戸尻側がレールに、戸先側が内ドアに支持された状態で移動する。
【００１０】
本発明では、必要に応じて、外ドアの下端面に第２のガイド溝を設ける。そして、外ドアを、第２のガイド溝と床に固定された第２のガイドとを噛み合わせつつ、移動させる。第２のガイドは、戸袋の戸先側の端部付近に設けられる。
【発明の効果】
【００１１】
本発明によれば、矩形の一部分が欠けた形状の開口部を完全に閉鎖することができる引戸を提供できる。
【発明を実施するための最良の形態】
【００１２】
以下、図面に基づいて、本発明の実施の形態について詳細に説明する。図１は、引戸１の斜視図を示す。図２は引戸１の立面図を示す。図２は、天井１７、床１９、壁５９、壁５９の凸部６１、戸袋６３に囲まれた開口部５５（図８の（ａ）図）を閉鎖した状態の引戸１の立面図である。図３および図４は、引戸１の垂直方向の断面図である。図３は、図２に示す矢印Ｂ−Ｂによる断面図、図４は、図２に示す矢印Ｃ−Ｃによる断面図である。
【００１３】
図１から図４に示すように、引戸１は、外ドア３、内ドア５、レール７等からなる。外ドア３は、上端面８と戸先側の端面１０とが成す隅部に、所定の大きさのスリット１１を有する。また、外ドア３は、上端面８の戸尻側に吊車９が固定される。外ドア３は、下端面１４に１条のガイド溝１３を有する。外ドア３は、スリット１１の内側の戸先側の下隅部に、ガイド２５が固定される。外ドア３は、側面４の戸先側に引手２７を有する。
【００１４】
内ドア５は、外ドア３のスリット１１の内部に格納可能な大きさとする。内ドア５は、上端面１６の戸尻側に吊車１５ａが、戸先側に吊車１５ｂが固定される。内ドア５は、側面６の下端部付近に、ガイド溝２１を有する。ガイド溝２１は、外ドア３のスリット１１に固定されたガイド２５に対応するものである。内ドア５は、戸先側の端面１２に引手２９を有する。
【００１５】
レール７は、天井１７に埋設される。レール７には、吊車９、吊車１５が吊り下げられる。床１９には、ガイド２３が固定される。図２に示すように、ガイド２３は、戸袋６３の戸先側の端部に配置される。外ドア３に設けられたガイド溝１３は、このガイド２３に対応するものである。
【００１６】
図５は、図４の範囲Ｄに示す部分の拡大図である。図５に示すように、天井１７に埋設されるレール７は、断面がコの字型の本体４１の側部３９を内側に折り曲げ、溝部３７を形成したものである。レール７は、２本の溝部３７が下面となるように配置される。
【００１７】
図５に示すように、内ドア５に固定される吊車１５ａは、吊部材３１、回転軸３３、車輪３５等からなる。吊部材３１は、下端部が内ドア５の上端面１６に固定された鉛直材である。回転軸３３は、吊部材３１の上端部に設けられた水平材である。車輪３５は、回転軸３３の両端に設けられる。
【００１８】
内ドア５に固定される吊車１５ｂは、図５に示す吊車１５ａと同様の構成である。内ドア５は、吊車１５ａ、吊車１５ｂの車輪３５をレール７の溝部３７内に配置することにより、レール７に吊り下げられる。内ドア５は、戸先側および戸尻側が、吊車１５ａおよび吊車１５ｂを用いてレール７に支持される。
【００１９】
外ドア３に固定される吊車９も、図５に示す吊車１５ａと同様の構成である。但し、吊車９は、吊部材３１の下端部が外ドア３の上端面８（図１）に固定される。外ドア３は、吊車９の車輪３５をレール７の溝部３７内に配置することにより、レール７に吊り下げられる。外ドア３は、戸尻側が、吊車９を用いてレール７に支持される。
【００２０】
図６は、図４の範囲Ｅに示す部分の拡大図である。図６に示すように、内ドア５に埋設されるガイド溝２１は、断面がロの字型の本体４７に、１条の開口部４９を設けたものである。ガイド溝２１は、開口部４９が外ドア３と対向するように配置される。外ドア３に設けられるガイド２５は、外ドア３に固定されるピン４３と、ピン４３に一体化された頭部４５とからなる。
【００２１】
ガイド２５は、頭部４５がガイド溝２１の本体４７の内部に配置され、ピン４３がガイド溝２１の開口部４９に配置される。このように、ガイド２５とガイド溝２１とを噛み合わせることにより、外ドア３の戸先側は、内ドア５に支持される。
【００２２】
図７は、図４の範囲Ｆに示す部分の拡大図である。図７に示すように、外ドア３に埋設されるガイド溝１３は、断面がコの字型の部材である。ガイド溝１３は、開口面が下面にくるように配置される。床１９に設けられるガイド２３は、床１９に固定されるピン５１と、ピン５１に一体化された頭部５３とからなる。ガイド２３は、ガイド溝１３の内部に配置される。
【００２３】
図８は、引戸１周辺の立面図を示す。図８では、図１から図７に示すような構造の引戸１を用いて、矩形の一部分が欠けた形状の開口部５５を開閉する方法について説明する。
【００２４】
図８の（ａ）図は、開口部５５を開放した状態の立面図を示す。図８の（ａ）図に示すように、開口部５５は、天井１７と床１９と壁５９と戸袋６３とに挟まれた部分である。壁５９は、一部に凸部６１を有する。開口部５５は、例えば、キッチンとリビングルームの間の開口部であり、凸部６１はカウンターである。
【００２５】
図８の（ａ）図に示すように、開口部５５を開放した状態のときは、引戸１は戸袋６３に格納される。引戸１の内ドア５は、外ドア３のスリット１１内に格納される。
【００２６】
図８の（ｂ）図は、開口部５５のうち壁５９の凸部６１の上方の開口部５５ａを除く部分を閉鎖した状態の立面図を示す。図８の（ｂ）図は、引戸１の外ドア３のみを閉鎖した状態である。図８の（ａ）図に示す状態から図８の（ｂ）図に示す状態とするには、引戸１の外ドア３の引手２７（図１）を用いて、外ドア３を図８の（ａ）図の矢印Ｇに示す方向に引き出す。
【００２７】
図８の（ｂ）図に示す状態から図８の（ａ）図に示す状態とするには、引戸１の外ドア３を図８の（ｂ）図の矢印Ｉに示す方向に移動させ、戸袋６３に格納する。
【００２８】
このとき、内ドア５は、戸先側および戸尻側が、吊車１５ａおよび吊車１５ｂを用いてレール７に支持された状態で移動する。外ドア３は、戸尻側が吊車９を用いてレール７に支持され、戸先側がガイド２５とガイド溝２１とを噛み合わせることにより内ドア５に支持され、下端部１４のガイド溝１３が床１９に固定されたガイド２３と噛み合わされた状態で移動する。
【００２９】
図８の（ｃ）図は、壁５９の凸部６１の上方の開口部５５ａを含む、開口部５５の全面を閉鎖した状態の立面図を示す。図８の（ｃ）図は、引戸１の外ドア３と内ドア５の双方を閉鎖した状態である。図８の（ｂ）図に示す状態から図８の（ｃ）図に示す状態とするには、引戸１の内ドア５の引手２９（図１）を用いて、内ドア５を外ドア３のスリット１１から図８の（ｂ）図の矢印Ｈに示す方向に引き出す。
【００３０】
図８の（ｃ）図に示す状態から図８の（ｂ）図に示す状態とするには、引戸１の内ドア５を図８の（ｃ）図の矢印Ｊに示す方向に移動させ、外ドア３のスリット１１の内部に格納する。
【００３１】
このとき、内ドア５は、戸先側および戸尻側が吊車１５ａおよび吊車１５ｂを用いてレール７に支持され、下端部のガイド溝２１が外ドア３に固定されたガイド２３と噛み合わされた状態で、外ドア３に対して平行に移動し、スリット１１から出し入れされる。
【００３２】
なお、内ドア５をスリット１１から出し入れする間や、引き出した後も、外ドア３の戸先側は、ガイド２５とガイド溝２１とを噛み合わせることにより内ドア５に支持される。
【００３３】
図８の（ａ）図に示す状態から図８の（ｃ）図に示す状態とするには、引戸１の内ドア５の引手２９（図１）を用いて、内ドア５を図８の（ａ）図の矢印Ｇに示す方向に引き出す。内ドア５が外ドア３のスリット１１から引き出され、ガイド２５がガイド溝２１の戸尻側の端部に到達すると、内ドア５に連なって外ドア３が戸袋６３から引き出される。
【００３４】
図８の（ｃ）図に示す状態から図８の（ａ）図に示す状態とするには、引戸１の内ドア５を図８の（ｃ）図の矢印Ｊに示す方向に移動させる。内ドア５が外ドア３のスリット１１の内部に押し入れられ、ガイド２５がガイド溝２１の戸先側の端部に到達すると、内ドア５に連なって外ドア３が戸袋６３に押し入れられる。
【００３５】
このとき、内ドア５は、戸先側および戸尻側が吊車１５ａおよび吊車１５ｂを用いてレール７に支持され、下端部のガイド溝２１が外ドア３に固定されたガイド２３と噛み合わされた状態で、外ドア３に対して平行に移動し、スリット１１から出し入れされる。
外ドア３は、戸尻側が吊車９を用いてレール７に支持され、戸先側がガイド２５とガイド溝２１とを噛み合わせることにより内ドア５に支持され、下端部のガイド溝１３が床１９に固定されたガイド２３と噛み合わされた状態で移動する。
【００３６】
このように、本実施の形態によれば、引戸１の外ドア３の一部にスリット１１を設け、外ドア３に対して平行に移動し、スリット１１に出し入れ可能な内ドア５を設ける。引戸１を用いれば、外ドア３から内ドア５を引き出すことより、矩形の一部が欠けた形状の開口部５５を完全に閉鎖できる。
【００３７】
なお、本実施の形態では、内ドア５の一方の側面にガイド溝２１を設けたが、ガイド溝２１の設置位置や設置数はこれに限らない。例えば、内ドア５の下端面にガイド溝２１を設け、それに対応するガイド２５を外ドア３のスリット１１の下端面に設ける場合や、内ドア５の両側面にガイド溝２１を設け、それらに対応するガイド２５を外ドア３のスリット１１の両側面に設ける場合もある。
【００３８】
また、外ドア３の下端面１４に設けるガイド溝１３の数量は、２条以上でもよい。内ドア５の上端面１６に設ける吊車１５の設置数や設置位置は、図１に示すものに限らない。吊車１５の設置数や設置位置は、レール７で内ドア５を支持できるように設定される。
【００３９】
さらに、レール７と吊車９および吊車１５、ガイド溝１３とガイド２３、ガイド溝２１とガイド２５の仕様は、図１から図７に示すものでなくてもよい。レール７と吊車９および吊車１５の仕様は、外ドア３や内ドア５を吊り下げつつ、滑らかに移動させることができるものであればよい。
【００４０】
ガイド溝１３とガイド２３は、外ドア３の移動時に、外ドア３の下端部のふらつきを防止できるものであればよい。ガイド溝２１とガイド２５は、外ドア３を内ドア５で支持しつつ、内ドア５を外ドア３のスリット１１から滑らかに出し入れできるものであればよい。
【００４１】
以上、添付図面を参照しながら本発明にかかる引戸の好適な実施形態について説明したが、本発明はかかる例に限定されない。当業者であれば、特許請求の範囲に記載された技術的思想の範疇内において各種の変更例または修正例に想到し得ることは明らかであり、それらについても当然に本発明の技術的範囲に属するものと了解される。
【図面の簡単な説明】
【００４２】
【図１】引戸１の斜視図
【図２】引戸１の立面図
【図３】引戸１の垂直方向の断面図
【図４】引戸１の垂直方向の断面図
【図５】図４の範囲Ｄに示す部分の拡大図
【図６】図４の範囲Ｅに示す部分の拡大図
【図７】図４の範囲Ｆに示す部分の拡大図
【図８】引戸１周辺の立面図
【符号の説明】
【００４３】
１………引戸
３………外ドア
５………内ドア
７………レール
９、１５、１５ａ、１５ｂ………吊車
１１………スリット
１３、２１………ガイド溝
２３、２５………ガイド
５５、５５ａ………開口部
【図１】
2008038399.tif 000003
【図２】
2008038399.tif 000004
【図３】
2008038399.tif 000005
【図４】
2008038399.tif 000006
【図５】
2008038399.tif 000007
【図６】
2008038399.tif 000008
【図７】
2008038399.tif 000009
【図８】
2008038399.tif 000010